(57)【要約】【課題】  効率的にオペレータ情報の引継ぎを行う。【解決手段】  予め登録されているオペレータ情報に基づいてオペレータを認証し、認証されたオペレータの操作に基づいて処理を行う現金処理装置において、転出元の現金処理装置１００は、該現金処理装置のオペレータの認証を行う転出認証部と、前記認証されたオペレータの操作に基づいて、登録されているオペレータ情報を記録媒体に記録する媒体記録部１４とを備え、転入先の現金処理装置２００は、該現金処理装置のオペレータの認証を行う転入認証部１１と、前記認証されたオペレータの操作に基づいて、前記記録媒体に記録されている前記オペレータ情報を読み出すオペレータ情報読出し部１４と、読み出したオペレータ情報を追加登録するオペレータ情報追加登録部とを備える。【選択図】        図１
2006092202.tif 000002
【特許請求の範囲】
【請求項１】
予め登録されているオペレータ情報に基づいてオペレータを認証し、認証されたオペレータの操作に基づいて処理を行う現金処理装置であって、該現金処理装置間の前記オペレータ情報の引継ぎ方法において、
転出元の現金処理装置で該現金処理装置のオペレータの認証を行うこと、
認証されたオペレータの操作に基づいて、該転出元現金処理装置に登録されているオペレータ情報を記録媒体に記録すること、
転入先の現金処理装置で該現金処理装置のオペレータの認証を行うこと、
認証されたオペレータが転出先現金処理装置を操作して、前記記録媒体からオペレータ情報を読み出すこと、
読み出したオペレータ情報を転出先の現金処理装置に追加登録することを特徴とする現金処理装置間におけるオペレータ情報の引継ぎ方法。
【請求項２】
前記オペレータ情報は少なくとも、オペレータを識別可能のＩＤデータおよび該ＩＤデータに関連付けられている操作ランクから成り、
前記オペレータの認証は、前記ＩＤデータに基づいて認証されたオペレータの操作ランクに基づいて、前記操作の可否判定を行うことを特徴とする請求項１記載の現金処理装置間におけるオペレータ情報の引継ぎ方法。
【請求項３】
前記記録媒体に前記オペレータ情報が記録された後、前記転出元の現金処理装置に登録されている前記オペレータ情報を消去することを特徴とする請求項１記載の現金処理装置間におけるオペレータ情報の引継ぎ方法。
【請求項４】
予め登録されているオペレータ情報に基づいてオペレータを認証し、認証されたオペレータの操作に基づいて処理を行う現金処理装置において、
転出元の現金処理装置は、該現金処理装置のオペレータの認証を行う転出認証部と、前記認証されたオペレータの操作に基づいて、登録されているオペレータ情報を記録媒体に記録する媒体記録部とを備え、
転入先の現金処理装置は、該現金処理装置のオペレータの認証を行う転入認証部と、前記認証されたオペレータの操作に基づいて、前記記録媒体に記録されている前記オペレータ情報を読み出すオペレータ情報読出し部と、読み出したオペレータ情報を追加登録するオペレータ情報追加登録部と、を備えることを特徴とする現金処理装置。
【請求項５】
前記オペレータ情報は少なくとも、オペレータを識別可能のＩＤデータおよび該ＩＤデータに関連付けられている操作ランクから成り、
前記転出認証部および前記転入認証部は、前記ＩＤデータに基づいて認証されたオペレータの操作ランクに基づいて、前記操作の可否判定を行うことを特徴とする請求項４記載の現金処理装置。
【請求項６】
前記転出元の現金処理装置は、前記記録媒体に前記オペレータ情報が記録された後、登録されている前記オペレータ情報を消去するオペレータ情報消去部を備えることを特徴とする請求項４記載の現金処理装置。
【発明の詳細な説明】
【技術分野】
【０００１】
本発明は、金融機関の店舗に設けられている現金処理装置に関し、特に現金処理装置に予め登録されてあるオペレータ情報を他の現金処理装置に引き継ぐ現金処理装置および現金処理装置間のオペレータ情報の引継ぎ方法に関するものである。
【背景技術】
【０００２】
金融機関の店舗には、現金の取り扱いを管理するための現金処理装置が設けられている。
この現金処理装置には、該装置の操作を許可する者を認証するためのオペレータ情報が登録されている。現金取引装置は、登録されているオペレータ情報に基づいて、利用者の認証を行い、認証されたオペレータの操作に基づいて各種の処理を行う。
【発明の開示】
【発明が解決しようとする課題】
【０００３】
ところで、店舗の統廃合等により、廃止される店舗に設けられた現金処理装置に登録されているオペレータ情報は、移動先の店舗の現金処理装置にあらためて登録する必要があった。すなわち、廃止店舗の現金処理装置に登録されているオペレータ情報を媒体に印刷し、該印刷結果に基づいて、移動先の店舗に設けられている現金処理装置に、各オペレータの情報を１件毎に登録する作業が行われており、非効率な作業が問題となっていた。
【０００４】
本発明は、前記した課題に鑑みて、効率的にオペレータ情報の引継ぎを行う方法と、該方法を用いた現金処理装置とを提供することにある。
【課題を解決するための手段】
【０００５】
本発明は、以上の点を解決するために、次の構成を採用する。
〈構成〉
予め登録されているオペレータ情報に基づいてオペレータを認証し、認証されたオペレータの操作に基づいて処理を行う現金処理装置であって、該現金処理装置間の前記オペレータ情報の引継ぎ方法において、転出元の現金処理装置で該現金処理装置のオペレータの認証を行うこと、認証されたオペレータの操作に基づいて、該転出元現金処理装置に登録されているオペレータ情報を記録媒体に記録すること、転入先の現金処理装置で該現金処理装置のオペレータの認証を行うこと、認証されたオペレータが転出先現金処理装置を操作して、前記記録媒体からオペレータ情報を読み出すこと、読み出したオペレータ情報を転出先の現金処理装置に追加登録することを特徴とする。
【０００６】
オペレータ情報は少なくとも、オペレータを識別可能のＩＤデータおよび該ＩＤデータに関連付けられている操作ランクから成り、オペレータの認証は、ＩＤデータに基づいて認証されたオペレータの操作ランクに基づいて、操作の可否判定を行うことができる。
記録媒体にオペレータ情報が記録された後、転出元の現金処理装置に登録されているオペレータ情報を消去することができる。
【０００７】
予め登録されているオペレータ情報に基づいてオペレータを認証し、認証されたオペレータの操作に基づいて処理を行う現金処理装置において、転出元の現金処理装置は、該現金処理装置のオペレータの認証を行う転出認証部と、前記認証されたオペレータの操作に基づいて、登録されているオペレータ情報を記録媒体に記録する媒体記録部とを備え、転入先の現金処理装置は、該現金処理装置のオペレータの認証を行う転入認証部と、認証されたオペレータの操作に基づいて、記録媒体に記録されているオペレータ情報を読み出すオペレータ情報読出し部と、読み出したオペレータ情報を追加登録するオペレータ情報追加登録部と、を備えることを特徴とする。
【０００８】
オペレータ情報は少なくとも、オペレータを識別可能のＩＤデータおよび該ＩＤデータに関連付けられている操作ランクから成り、転出認証部および転入認証部は、ＩＤデータに基づいて認証されたオペレータの操作ランクに基づいて、操作の可否判定を行うことがきる。
転出元の現金処理装置は、記録媒体にオペレータ情報が記録された後、登録されているオペレータ情報を消去するオペレータ情報消去部を備えることを特徴とする。
【発明の効果】
【０００９】
本発明の現金処理装置間におけるオペレータ情報の引継ぎ方法によれば、転出元の現金処理装置で認証されたオペレータの操作でオペレータ情報を記録媒体に記録させ、転入先の現金処理装置で認証されたオペレータの操作で記録媒体に記録されているオペレータ情報を追加記録することにより、複数のオペレータのオペレータ情報を一括的に転入先の現金処理装置に追加登録することができ、効率的にオペレータ情報の引継ぎを行うことができる。
【発明を実施するための最良の形態】
【００１０】
以下、本発明の実施形態を図を用いて詳細に説明する。
【実施例１】
【００１１】
金融機関の店舗に設置される現金処理装置の操作オペレータのＩＤデータ、氏名および操作ランクなどのオペレータ情報を現金処理装置間で引継ぐ方法を示す概略図が図１に示されている。該概略図には、支店Ａに設置された現金処理装置１００に登録されているオペレータ情報を支店Ｂに設置された現金処理装置２００に引継ぐべく、支店Ａの現金処理装置のオペレータ情報を支店Ｂの現金処理装置に追加登録する形態が示されている。
【００１２】
本実施例の現金処理装置１００および現金処理装置２００は、いずれも、オペレータ情報の転出機能及び転入機能を備えており、その詳細な説明を図２を用いて行う。
現金処理装置１００は、オペレータの認証に必要な情報を取得する認証部１１（転出認証部、転入認証部）と、オペレータの操作入力を受け入れる入力部１２と、該入力部からの指示に基づく表示を行う表示部１３と、オペレータ情報を記憶媒体としての磁気ディスクに記録し、かつ媒体に記録されている情報を読み出すための媒体記録部１４（オペレータ情報読出し部）と、金融業務における処理を司る業務ユニット１５と、前記各部を統括的に制御する制御部（追加登録部）１６とを備える。
【００１３】
制御部１６は、例えばハードディスクドライブ（以降、ＨＤＤと称す）などの記憶部１７を備えており、該ＨＤＤには、金融業務プログラム、オペレータ情報の登録プログラム、オペレータの認証プログラム、オペレータ情報の引継ぎプログラムが記録されている。制御部は、ＨＤＤに記録されている各種プログラムを読出して、該プログラムに従って動作する。
【００１４】
更に、前記したＨＤＤには、業務プログラムに基づく制御で参照される業務データと、認証プログラムに基づく制御で参照、登録プログラムに基づく制御で更新および引継ぎプログラムによる制御で読書きされる認証データベースとが保持されている。
【００１５】
認証データベースには、オペレータを識別（認証）するためのＩＤデータが管理されている。このＩＤデータは、オペレータに貸与されるＩＤカードにも記録されており、認証部１１でＩＤカードのＩＤデータを読取り、読み取ったＩＤデータと認証データベースに登録してあるＩＤデータとを照合することで、オペレータの認証を行う（図３参照）。
【００１６】
ＩＤデータは、オペレータの認証が可能のデータであればよく、例えばアイリスや指紋などの生体情報などでもよい。生体情報をＩＤデータとする場合、オペレータから取得する生体情報の種類に応じて認証部１１の機能が適宜変更される。また、生体情報に基づいて行う認証方法以外に、利用者からのパスワードを入力部１２から受け入れ、該パスワードと、予め登録してあるパスワードとを照合することで、本人認証を行ってもよい。
【００１７】
ところで、前記したＩＤデータには、オペレータの氏名や操作ランクなども対応付けられており、これらがオペレータ情報としてＨＤＤで保持されている。操作ランクとは、オペレータの操作可能な権限を順位づけて定めたものであり、例えば職権や、職階などに基づいて取り扱い可能な操作範囲や取り扱い可能な金額などが定められている。
【００１８】
媒体記録部１４は、認証されたオペレータの操作で、ＨＤＤに保持されているオペレータ情報を光磁気ディスクや磁気ディスクなどの記録媒体に記録する。
【００１９】
業務ユニット１５は、金融業務に特化した処理、例えば、入金処理、出金処理、有高処理や、帳票作成などのためのユニットである。
【００２０】
次に現金処理装置１００の動作を図２を用いて説明する。尚、オペレータ情報が予め登録されていることを前提に説明を行う。
現金処理装置１００における業務処理に先立ち、オペレータの認証が認証プログラムに基づいて行われる。このとき、表示部１３の画面には、図５（ａ）に示すオペレータ認証の指示が示される。オペレータに貸与されているＩＤカードを認証部１１で読取り（ステップ１）、ＩＤデータを取得する。取得したＩＤデータと、認証データベースに予め登録されているＩＤデータとの照合を行ってオペレータの認証を行う（ステップ２）。
【００２１】
オペレータが認証されると、認証プログラムから業務プログラムに処理が移行され（ステップ３）、該業務プログラムに基づく業務処理が行われる（ステップ４）。業務処理では、記憶部１７で保持管理されている業務データの参照や更新、業務ユニット１５の制御、表示部１３の制御などが行われる。
【００２２】
ところで、オペレータの認証を終えた表示部１３には、図５（ｂ）に示すように、各種業務の選択メニューが表示されており、オペレータが入力部１２で所望の処理を選択することができる。この選択肢には、業務処理としての入金処理や出金処理以外に、オペレータの追加登録処理などもあり、オペレータの操作ランクに基づいて、選択可能の処理内容が異なる。
【００２３】
次に、表示部１３に図６（ａ）に示す画面が表示されているとき、オペレータが入力部１２でオペレータの追加登録、すなわちオペレータ情報の追加登録を選択したときの動作を図４を用いて説明する。
【００２４】
オペレータの追加登録が選択されると、業務プログラムから登録プログラムへ処理が移行する。登録プログラムに基づく処理では、図４（ａ）に示されているように、先ず新たに追加したいオペレータのＩＤデータの取得を認証部１１で行うべく、表示部１３に図６（ｂ）に示すＩＤデータの登録案内が行われる（ステップ５）。その後、図６（ｃ）に示されているように、タッチパネルと称される入力部１２から新たに追加したいオペレータの氏名や、操作ランクなどの入力を行い（ステップ６）、これらの情報を取得したＩＤデータに対応付けて、認証データベースに図４（ｂ）に示すように追加登録を行う（ステップ７）。
【００２５】
転送元の現金処理装置１００において、オペレータからＩＤデータを取得して（ステップ１）、認証プログラムに基づいてオペレータの認証が行われた後（ステップ２）、認証プログラムから業務プログラムに処理が移行され（ステップ３）、該業務プログラムに基づく業務処理が行われ（ステップ４）、表示部１３に図７（ａ）に示す画面が表示される。このとき、オペレータが入力部１２でオペレータ情報の引継ぎ処理を選択したときの動作を図１（ａ）を用いて説明する。尚、現金処理装置１００からのオペレータ情報を現金処理装置２００へ引き継ぐことを前提に説明を行う。
【００２６】
引継ぎ処理が選択されると、表示部１３に図７（ｂ）に示すように、オペレータ情報が保持されている認証データベースからの書き出し処理と、オペレータ情報を認証データベースへ追加登録すべく、オペレータ情報の読み込み処理とが表示される。ここで、オペレータは、転送元の現金処理装置１００においては、オペレータ情報の書出きし処理を選択し、転送先の現金処理装置２００においては、オペレータ情報の読み込み処理を選択する。
【００２７】
オペレータ情報の書き出し処理が選択されると、認証データベースに保持されているオペレータ情報が媒体記録部１４で記録媒体に記録される（ステップ８）。この間、表示部１３には、図７（ｃ）に示すように、記録媒体にオペレータ情報を書き出す旨の表示が行われる。
【００２８】
尚、認証データベースに保持してある全オペレータのオペレータ情報を一括的に記録媒体に書出してもよいし、必要に応じて任意のオペレータのオペレータ情報のみを選択し、選択したオペレータ情報のみを記録媒体に書き出してもよい。
また、認証データベースからオペレータ情報が記録媒体へ書き出されると、書き出されたオペレータ情報を認証データベースから消去すべく、オペレータ情報消去部を設けてもよい。
【００２９】
尚、オペレータ情報の読出し指示は、操作ランクに基づく操作権限が与えられたオペレータに基づいて行われる。すなわち、ランクが低いオペレータは自身のオペレータ情報のみしか記録媒体に書き出すことしかできないが、操作ランクが高くなるに従い、自身以外のオペレータのオペレータ情報を記録媒体に書き出すことができる。
【００３０】
オペレータ情報が記録媒体に書き出された後、該記録媒体に記録されているオペレータ情報の追加登録が転出先の現金処理装置２００において行われる。
【００３１】
転出先の現金処理装置２００では、オペレータからＩＤデータを取得して（ステップ９）、認証プログラムに基づいてオペレータの認証が行われた後（ステップ１０）、認証プログラムから業務プログラムに処理が移行され（ステップ１１）、該業務プログラムに基づく業務処理が行われ、表示部１３に図７（ａ）に示す画面が表示される。
【００３２】
このとき、オペレータが入力部１２でオペレータ情報の引継ぎ処理を選択すると、業務プログラムから引継ぎプログラムに処理が移行される（ステップ１２）。引継ぎプログラムに基づく制御では、図７（ｂ）に示すように、オペレータ情報が保持されている認証データベースからの書き出し処理と、オペレータ情報を認証データベースへ追加登録すべく、オペレータ情報の読み込み処理とが表示される。
【００３３】
図７（ｂ）に示す表示画面に従って、オペレータが認証データベースの書き込み処理、すなわち記録媒体のペレータ情報を追加登録する処理を選択すると、記録媒体に記録されているオペレータ情報が読み出され（ステップ１３）、読み出したオペレータ情報が、図１（ｂ）に示されているように、認証データベースに追加登録される（ステップ１４）。この間、表示部１３には、図７（ｄ）に示すように、認証データベースへオペレータ情報を書き込む旨の表示が行われる。
【００３４】
尚、認証データベースへの書き込みは、記録媒体に記録されている全オペレータのオペレータ情報を一括的に認証データベースに追加登録してもよいし、必要に応じて任意のオペレータのオペレータ情報のみを選択し、選択したオペレータ情報のみを認証データベースに追加登録してもよい。その際、記録媒体に記録されているオペレータ情報のリストが表示部１３で表示され、オペレータはリスト表示に基づいて所望のオペレータ情報を選定する。
【００３５】
尚、オペレータ情報の書き込み指示は、操作ランクに基づく操作権限が与えられたオペレータのみが行なうことができる。
【００３６】
前記したように、本発明の現金処理装置間におけるオペレータ情報の引継ぎ方法によれば、転送元の現金処理装置で認証されたオペレータの操作でオペレータ情報を記録媒体に書き出し、転送先の現金処理装置で認証されたオペレータの操作で記録媒体に記録されているオペレータ情報を認証データベースに追加登録することから、店舗の統廃合などにより、多数のオペレータの人事異動が生じても、移動するオペレータのオペレータ情報を移動先の現金処理装置で、個々に登録する必要がなく、一括的に多数のオペレータ情報の追加登録を行うことができ、効率的にオペレータ情報の引継ぎを行うことができる。
【図面の簡単な説明】
【００３７】
【図１】本発明の現金処理装置間におけるオペレータ情報の引継ぎ方法を示す図である。
【図２】本発明の現金処理装置を示すブロック図である。
【図３】オペレータの認証を示す概念図である。
【図４】オペレータ情報の登録を示す図である。
【図５】現金処理装置の操作画面例を示す図である。
【図６】オペレータ情報の追加登録処理を示す操作画面例を示す図である。
【図７】オペレータ情報の引継ぎ処理を示す操作画面例を示す図である。
【符号の説明】
【００３８】
１１  認証部
１２  入力部
１３  表示部
１４  媒体記録部
１５  業務ユニット
１６  制御部
１７  記憶部
１００  転送元の現金処理装置
２００  転送先の現金処理装置
【図１】
2006092202.tif 000003
【図２】
2006092202.tif 000004
【図３】
2006092202.tif 000005
【図４】
2006092202.tif 000006
【図５】
2006092202.tif 000007
【図６】
2006092202.tif 000008
【図７】
2006092202.tif 000009